(57)【特許請求の範囲】
【請求項１】
吸収性コアを含む吸収体本体と、該吸収体本体の非肌当接面側に配され該吸収性本体を固定している外包材とを備え、該外包材における腹側部と背側部の両側縁部同士が接合されて、一対のサイドシール部、ウエスト開口部及び一対のレッグ開口部が形成されているパンツ型の使い捨ておむつであって、  前記外包材は、２枚の伸長性シートが積層された構造を有し、２枚の該伸長性シートの少なくとも一方は伸縮性を有しており、  前記腹側部及び前記背側部における前記２枚の伸長性シート間は、前記サイドシール部並びに前記ウエスト開口部及び前記レッグ開口部それぞれの周縁部を除く部分の全域又は大部分において接合されておらず、  前記吸収体本体は、その長手方向両端部を除き、幅方向中央部のみが前記外包材と接合されており、 使い捨ておむつの幅方向中央部に前記２枚の伸長性シート間が接着剤で接合された接合部を有し、前記外包材の非肌面側における前記接着剤と重なる位置に廃棄用テープが固定されている、パンツ型の使い捨ておむつ。
【請求項２】
前記腹側部及び前記背側部における前記２枚の伸長性シート間は、前記サイドシール部並びに前記ウエスト開口部及び前記レッグ開口部それぞれの周縁部並びに該腹側部及び該背側部それぞれの幅方向中央部において接合されており、それ以外の部分においては接合されていない請求項１記載のパンツ型の使い捨ておむつ。
【請求項３】
前記腹側部と前記背側部との間の股下部における前記２枚の伸長性シート間は、前記レッグ開口部の周縁部を除く部分の全域又は大部分において接合されていない請求項１又は２記載のパンツ型の使い捨ておむつ。
【請求項４】
前記腹側部と前記背側部との間の股下部における前記２枚の伸長性シート間は、前記レッグ開口部の周縁部及び股下部の幅方向中央部において接合されており、それ以外の部分においては接合されていない請求項１記載のパンツ型の使い捨ておむつ。
【発明の詳細な説明】
【技術分野】
【０００１】
本発明は、パンツ型使い捨ておむつに関する。
【背景技術】
【０００２】
従来、パンツ型使い捨ておむつとして、ウエスト開口部及びレッグ開口部それぞれの周縁部に加えて、ウエスト開口部の周縁部よりも下方に位置する胴回り部にも糸状の弾性部材により弾性伸縮性を付与したものが知られている（特許文献１参照）。
従来、使い捨ておむつに弾性伸縮性を付与する場合、実質的に非伸縮性の２枚のシート間に、伸張状態とした糸状ないし帯状の弾性部材を接着剤を介して固定し、次いで、弾性部材を収縮させギャザーを形成する方法が一般的である。
しかし、弾性部材をシート間に確実に固定するために接着剤を多く塗工すれば通気性や柔らかさが低下し、他方、接着剤の塗工量を減らせば弾性部材の固定が不充分となって、フィット性や漏れ防止性が低下する。風合いを向上させるために、接着剤の塗工パターンをスパイラル状やΩ字状、ドットパターン等の全面塗工でないパターンとすることも知られているが、その場合においても、かなりの量の接着剤や接着面積が必要であり、通気性や柔らかさの大幅な向上を図ることは困難である。
【０００３】
特許文献２には、液体浸透性の体側ライナー、液体不浸透性のバリア及びその間に置かれた吸収性の複合材を含む吸収性のインサート構造を、通気性を有するエラストマー不織製外側カバーに取り付けた構造の吸収性下着が記載されている。
しかし、特許文献２の吸収性下着においては、エラストマー不織製外側カバーが一枚のシート状の形態をなしているため、ウエスト開口部及び／又はレッグ開口部に弾性部材を固定して締め付け力を高めようとした場合には、カバーに固定した弾性部材が着用者に違和感を与えたり、見栄えを悪化させる問題がある。
【０００４】
【特許文献１】特開平４−１６６１５０号公報
【特許文献２】特表平１−５０３４７３号公報
【発明の開示】
【発明が解決しようとする課題】
【０００５】
従って本発明の目的は、おむつ外面が柔らかで肌触りが良好であり、フィット性及び通気性に優れたパンツ型使い捨ておむつを提供することにある。
【課題を解決するための手段】
【０００６】
本発明は、吸収性コアを含む吸収体本体と、該吸収体本体の非肌当接面側に配され該吸収性本体を固定している外包材とを備え、該外包材における腹側部と背側部の両側縁部同士が接合されて、一対のサイドシール部、ウエスト開口部及び一対のレッグ開口部が形成されているパンツ型の使い捨ておむつにおいて、前記外包材は、２枚の伸長性シートが積層された構造を有し、２枚の該伸長性シートの少なくとも一方は伸縮性を有しており、前記腹側部及び前記背側部における前記２枚の伸長性シート間は、「前記サイドシール部並びに前記ウエスト開口部及び前記レッグ開口部それぞれの周縁部」を除く部分の全域又は大部分において接合されていないことを特徴とするパンツ型の使い捨ておむつを提供することにより前記目的を達成したものである。
【発明の効果】
【０００７】
本発明のパンツ型使い捨ておむつは、おむつ外面が柔らかで肌触りが良好で、フィット性及び通気性に優れたものである。
【発明を実施するための最良の形態】
【０００８】
以下本発明を、その好ましい実施形態に基づき図面を参照しながら説明する。図１には、本発明のパンツ型使い捨ておむつの一実施形態の斜視図が示されている。図２には、図１のおむつの展開状態の平面図が示されている。図３には、図１のおむつの分解斜視図が示されている。図４には、図２のII− II線断面図が示されている
【０００９】
本実施形態のおむつ１は、液透過性の表面シート２、液不透過性又は撥水性の裏面シート３及び両シート２、３間に介在配置された液保持性の吸収性コア４を有する実質的に縦長の吸収体本体１０と、該吸収体本体１０の裏面シート３側に配された外包材１１とを備えている。
【００１０】
外包材１１は、その両側縁が、長手方向中央部において内方に括れた砂時計形の形状をしており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前後端部に相当し、股下部Ｃは外包材１１の長手方向中央部に相当する。外包材１１は、その腹側部Ａの両側縁部Ａ１，Ａ２と背側部Ｂの両側縁部Ｂ１，Ｂ２とが互いに接合されて、おむつ１にはウエスト開口部５及び一対のレッグ開口部６が形成されている。この接合によって、おむつ１の左右両側縁には一対のサイドシール部Ｓ，Ｓが形成されている。この接合には例えばヒートシール、高周波シール、超音波シール等が用いられる。
【００１１】
表面シート２、裏面シート３及び吸収性コア４はそれぞれ矩形状であり、一体化されて縦長の吸収体本体１０を形成している。表面シート２、裏面シート３及び吸収性コア４としては、それぞれ、従来この種のおむつに用いられているものと同様のものを用いることができる。例えば、吸収性コア４としては、高吸収性ポリマーの粒子及び繊維材料から構成され、ティッシュペーパ（図示せず）によって被覆されているもの等を用いることができる。
【００１２】
図２に示すように、吸収体本体１０の長手方向の左右両側には、液抵抗性ないし撥水性で且つ通気性の素材から構成された側方カフス８、８が形成されている。各側方カフス８の自由端部の近傍には、側方カフス弾性部材８１が伸張状態で配されている。これにより、図１のように組み立てられたおむつ１を着用させる際には、弾性部材８１が縮むことにより側方カフス８が起立して、吸収体本体１０の幅方向への液の流出が阻止される。図３には、側方カフス８、８形成用のシート材が符号８２で示されている。このシート材８２は、おむつ１の状態においては、吸収性本体１０の幅方向外側の所定幅の部分８２Ｓが、裏面シート３の非肌当接面側に巻き下げられ、該裏面シート３と外包材１１との間に固定されている。
【００１３】
本実施形態のおむつ１における外包材１１は、２枚の伸長性シート１２，１３が積層された構造を有し、その２枚の伸長性シート１２，１３は、何れも伸縮性を有している。伸長性シートは、おむつを展開状態としたときに、少なくともおむつの幅方向（図２の左右方向、以下おむつ幅方向ともいう）において伸長可能であれば良く、伸縮性を有する場合も同様におむつ幅方向において伸縮性を有していれば良い。
本発明において、伸長性シートとは、少なくとも１方向の最大伸度が１００％以上であるシート（長さが２倍以上に伸びるシート）を意味する。伸長性シートが伸縮性を有するとは、該シートを、最大伸度が１００％以上である１方向に、該シートを、伸度１００％迄伸長させた後、収縮させたときの伸長回復率（１００％伸長時の伸長回復率）が、少なくとも７０％以上であることを意味する。最大伸度が１００％以上である方向を複数有する場合、そのうちの何れか１方向のみにおいて伸長回復率が７０％以上である場合も伸縮性である。
【００１４】
本実施形態における２枚の伸長性シート１２，１３は、何れも、おむつ幅方向において、おむつの長手方向（図２の上下方向）におけるよりも大きく伸長可能である。より具体的には、おむつ幅方向においては、大きく伸長し且つ伸長後に収縮する（最大伸度１００％以上且つ伸長回復率７０％以上）が、おむつ長手方向においては、わずかにしか伸長しない（例えば、最大伸度５０％以下）。
本実施形態のおむつ１において、一方の伸長性シート１２は、おむつ１の外面をなし、他方の伸長性シート１３は、伸長性シート１２の内面側に配されている。
おむつは、未伸長状態においては、幼児の体型より小さく設計することが多く、母親が幼児におむつを装着するためには、外包材は１００％以上の伸度を有することが好ましい。
また、おむつ幅方向における伸長回復率が７０％以上の伸縮性シートを用いることにより、おむつを体型によりフィットさせることができ、外観のだぶつきやズレ落ちを防止することができる。
【００１５】
〔伸長回復率の測定方法〕
長さ５０ｍｍ、幅２５ｍｍのサンプル片を用意し、テンシロン装置を用いて、チャック間隔Ｌ0にサンプル片を固定し、３００ｍｍ／ｍｉｎの速度で１００％伸長時の長さＬ2（Ｌ2＝Ｌ0×２）まで伸長させた後、引張速度と同様の速度で戻し始めて応力が０になった時のサンプル片の長さを伸長回復後の長さＬ1とする。次式から１００％伸長時の伸長回復率を算出する。
１００％伸長時の伸長回復率（％）＝〔（Ｌ2−Ｌ1）／（Ｌ2−Ｌ1）〕  ×  １００
【００１６】
本発明における、伸縮性を有する伸長性シートは、おむつ幅方向に対応する方向に、糸又は細帯状の複数の弾性部材が伸長状態で固定されていなくても伸縮性を有するもの（自然状態で実質的にしわがよっていないシート）である。
伸縮性を有する伸長性シートとしては、（１）弾性繊維の集合体からなる弾性繊維シートの両面に、伸長可能な繊維集合体が一体化されてなるシート、（２）ネット状の弾性シートの少なくとも片面に、伸長可能な繊維集合体が自然状態で一体化されてなるシート、（３）弾性繊維の集合体のみからなる弾性不織布シート等を好ましく用いることができる。
伸縮性を有する伸長性シート１２，１３とは、同じ構成の伸縮性且つ伸長性のシートであっても良いし、異なる構成の伸縮性且つ伸長性のシートであっても良い。
【００１７】
前記（１）のシートについて説明する。
弾性繊維の集合体からなる弾性繊維シートとしては、スチレンブタジエンスチレンブロック共重合体（ＳＢＳ）、スチレンイソプレンスチレンブロック共重合体（ＳＩＳ）、スチレンエチレンブチレンスチレンブロック共重合体（ＳＥＢＳ）、スチレンエチレンプロピレンスチレンブロック共重合体（ＳＥＰＳ）等のスチレン系エラストマー、オレフィン系エラストマー、ポリエステル系エラストマー、ポリウレタン系エラストマー等の弾性原料を、これらは一種を単独で又は二種以上を組み合わせて用いることができる。この原料を（溶融して）スパンボンド法、メルトブローン法、スピニングブローン法等により不織布化したもの等が挙げられる。
伸長可能な繊維集合体としては、各種製法による繊維ウエブや不織布に、特定方向に延びるスリットを分散させて多数形成して、前記特定方向に直交する方向に伸長可能としたもの等が挙げられる。
繊維シートと伸長可能な繊維集合体との一体化方法としては、これらを積層して水流交絡等により繊維を交絡させる方法、接着剤や熱ロール等を用いてパターンを有して部分接合させる方法、非弾性繊維層の構成繊維の一部が弾性繊維層に入り込んだ状態が好ましく、繊維交点の熱融着によって接合する方法が挙げられる。このようなシートをおむつの外面や外面と内面の両方に用いることにより、伸びがよく、布地のように柔らかく、しなやか且つ肌触りがなめらかなパンツ型おむつが実現できる。また、弾性繊維シートは繊維が細いほうが好ましく、製法としてはスピニングブローン法が好ましい。
【００１８】
前記（２）のシートについて説明する。
ネット状の弾性シートとしては、弾性糸を少なくとも緯糸に用いてなる基盤目状のシート、弾性フィルムをスリットしてなる多数の弾性体を基盤目状に配してなる基盤目状のシート等が挙げられる。
伸長可能な繊維集合体としては、前記（１）のシートにおけるものと同様のものを用いることができる。弾性シートと伸長可能な繊維集合体との一体化方法としては、前記（１）のシートにおける一体化方法と同様の方法を用いることができる。弾性シートにネット状の弾性シートを用いることにより、外面の強度が高く、おむつ着脱時の外面の破けを引き起こしづらい。ただし、ネット状弾性シートは凹凸がなく平坦な方が、肌触りの面で好ましい。
【００１９】
前記（３）のシートについて説明する。
前記（３）のシートとしては、前記（１）のシートの弾性繊維の集合体からなる弾性繊維シートを用いることができる。このようなシートを用いることで、のびがよく、はかせやすいパンツ型おむつが実現できる。
【００２０】
本実施形態のおむつ１においては、図３及び図４に示すように、腹側部Ａ及び背側部Ｂのそれぞれにおける２枚の伸長性シート１２，１３間は、サイドシール部Ａ１，Ａ２，Ｂ１，Ｂ２においては、ヒートシール、高周波シール又は超音波シールにより互いに接合されており、ウエスト開口部５の周縁部５０及び一対のレッグ開口部６それぞれの周縁部６０においては、ホットメルト型接着剤等の接着剤５２，６２により互いに接合されている。そして、腹側部Ａ及び背側部Ｂのそれぞれにおける２枚の伸長性シート１２，１３間は、これらの部分を除く部分の大部分において接合されていない。
具体的には、伸長性シート１２，１３間は、サイドシール部Ａ１，Ａ２，Ｂ１，Ｂ２、ウエスト開口部５の周縁部５０、一対のレッグ開口部６それぞれの周縁部６０に加えて、腹側部Ａ及び背側部Ｂそれぞれのおむつ幅方向中央部において接合されており、それら以外の部分においては接合されていない。
【００２１】
このように、腹側部Ａ及び背側部Ｂにおける広い範囲において、２枚の伸長性シート１２，１３間を接合しない構成とすることにより、外包材１１が接着剤で硬くなる部分を最小限に抑えることができ、おむつの外面や、外包材１１の内面であって吸収性本体１０に覆われていない部分を、柔らかで肌触りの良いものとすることができる。また、伸長性シートとして通気性シートを用いる場合に、その通気性が良好に維持されるので、ムレにくいおむつを提供することができる。
更に、ウエスト開口部５及び一対のレッグ開口部６それぞれの周縁部５０，６０それぞれにおいて、２枚の伸長性シート１２，１３間を接合した構成としたため、胴回り部においては、伸縮性の外包材１１により適度なフィット性を得ることができると共に、これらの周縁部５０，６０に、糸状又は帯状の弾性部材５１，６１ａ，６１ｂを両伸長性シート（伸縮性シート）１２，１３に挟んだ状態に固定することにより、これらの部位のフィット性を外包材１１の伸縮特性の制約を受けることなく高めることができる。また、糸状又は帯状の弾性部材５１，６１ａ，６１ｂを両伸長性シート（伸縮性シート）１２，１３に挟んだ状態に固定できるため、このような弾性部材を、一枚のシートからなる外包材に固定する場合に比べて、弾性部材が着用者に違和感を与えたり、外観を悪化させることを防止することもできる。
【００２２】
腹側部Ａ及び背側部Ｂそれぞれにおける、ウエスト開口部の周縁部５０には、ウエスト開口部の開口周縁端に沿って、複数のウエスト部弾性部材５１、５１が配されている。これらのウエスト部弾性部材５１、５１は、接着剤５０を介して２枚の伸長性シート１２，１３間に伸長状態で固定されている。また、腹側部Ａ、股下部Ｃ及び背側部Ｂに亘って存在するレッグ開口部の周縁部６０、６０にも、各開口部の周縁端に沿って、レッグ部弾性部材６１ａ、６１ｂが配されている。これらのレッグ部弾性部材６１ａ、６１ｂは、接着剤６０を介して２枚の伸長性シート１２，１３間に伸長状態で固定されている。ウエスト部弾性部材及びレッグ部弾性部材としては、それぞれ、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００２３】
本実施形態のおむつ１において、ウエスト開口部の周縁部に存する２枚の伸長性シート１２，１３間が接合されている領域の幅は、腹側部Ａ及び背側部Ｂそれぞれについて、ウエスト開口部の周縁端５ａ，５ｂから５０ｍｍ以内であることが好ましく、ウエスト開口部の周縁端５ａ，５ｂから３０ｍｍ以内であることが好ましい。また、レッグ開口部の周縁部に存する２枚の伸長性シート（伸縮性シート）１２，１３間が接合されている領域の幅は、腹側部Ａ、股下部Ｃ及び背側部Ｂの各部において、レッグ開口部の周縁端から５０ｍｍ以内であることが好ましく、ウエスト開口部の周縁端から３０ｍｍ以内であることが好ましい
【００２４】
また、腹側部Ａ及び背側部Ｂそれぞれにおけるおむつ幅方向において、２枚の伸長性シート１２，１３間が接合されていない部分の合計長さ（Ｌ１＋Ｌ２）は、左右のサイドシール部Ａ１，Ａ２間の長さＬａ（Ｌｂ）に対して、６０％以上であることが好ましく、７０％以上であることがより好ましく、７５％以上であることが更に好ましい。
また、腹側部Ａ及び背側部Ｂそれぞれにおける２枚の伸長性シート１２，１３間が接合されていない部分の面積は、腹側部Ａ及び背側部Ｂそれぞれの面積に対して、６０〜１００％であることが好ましく、７０〜１００％であることがより好ましい。この数値を満たすものを「全域又は大部分」というものとする。
本明細書に記載の各部の寸法や比等は、図２に示すようにおむつを展開状態とし、ウエスト開口部およびレッグ開口部の弾性部材による収縮力を解除した自然状態（引っ張り力等の外力を作用させない状態）において測定した値又はそれに基づくものである。
【００２５】
本実施形態のおむつ１においては、股下部Ｃにおける２枚の伸長性シート１２，１３間も、レッグ開口部の周縁部６０及び該股下部Ｃのおむつ幅方向中央部において、接着剤６２，１４を介して接合されているが、それ以外の部分においては接合されていない。本実施形態のおむつ１においては、図２に示すように、レッグ開口部の周縁部６０に伸縮性を付与するためのレッグ部弾性部材が、レッグ開口部の周縁部から股下部の幅方向中央に向かって延出している場合があるが、このように、レッグ開口部に周方向に伸縮性を付与するためのレッグ部弾性部材が配されている部分は、レッグ開口部の周縁部６０に含まれる。
【００２６】
本実施形態のおむつ１においては、腹側部Ａ及び背側部Ｂ並びに股下部Ｃそれぞれのおむつ幅方向中央部において、２枚の伸長性シート１２，１３間が接合されているため、外包材１１の外面に廃棄用テープを設ける場合に、おむつ幅方向中央部に固定することで、廃棄用テープを強固に固定することができる。廃棄用テープは、おむつを丸めた状態を保持するテープであり、従来公知の各種のものを用いることができる。また、腹側部Ａ及び背側部Ｂ並びに股下部Ｃそれぞれのおむつ幅方向中央部において、２枚の伸長性シート１２，１３間が接合されているため、裏面シート３に、模様や文字、その他の記号等の図柄を設けた場合に、おむつ外面側からその図柄を明瞭に視認できる。本実施形態のおむつ１に、上述した廃棄用テープ及び／又は図柄を設けても良いが設けることは必須ではない。
【００２７】
本実施形態のおむつ１において、外包材１１の外面側を構成する構成する伸長性シート１２は、図２及び図３に示すように、伸長性シート１２と伸長性シート１３とによって各ウエスト部弾性部材５１，５１を挟持固定する部位よりも更に延出する長さを有し、伸長性シート１２の伸長性シート１３より延出した部分１２ａ、１２ｂが、図２及び図３に示すように、吸収体本体１０側に折り返されている。
吸収性本体１０は、その長手方向両端部における肌当接面側が、伸長性シート１２の折り返された部分１２ａ、１２ｂに覆われている。伸長性シート１２の折り返された部分１２ａ、１２ｂは、吸収性本体１０の長手方向両端部と重なる部分が、該吸収性本体１０の略全幅に亘って接着剤を介して接着されており、これにより、吸収性本体１０の長手方向両端部が、外包材１１に固定されている。
【００２８】
吸収性本体１０は、その長手方向両端部を除く部分においては、図３及び図４に示すように、幅方向中央部のみが外包材１１と接着剤１５を介して接合されている。外包材１１の伸縮が、吸収性本体１０の接合によって阻害されにくくなるため、胴回り部に良好なフィット性が得られる。
吸収性本体１０と外包材１１が接着されている領域の幅Ｗ１は、腹側部Ａ及び背側部Ｂのそれぞれにおいて、吸収性本体１０の幅Ｗの２０〜８０％であることが好ましく、より好ましくは３０〜７０％である。８０％を超えた場合、伸縮性の阻害が生じ、２０％を下回った場合、吸収体のよれ等の不具合が生じる。
【００２９】  次に、本発明の他の実施形態としてのパンツ型の使い捨ておむつについて、図５〜図１１を参照して説明する。以下の説明においては、上述したおむつ１と異なる点について説明し、同様の点については説明を省略する。特に言及しない点については、上述したおむつ１に関する説明が適宜適用される。図５〜図１１には、使い捨ておむつ１と同様の構成部材には同一の符号を付してある。  図５及び図６に示すおむつにおいては、外包材１１を構成する２枚の伸長性シート１２，１３間を、おむつ幅方向中央部において接合する接合部が設けられていない。即ち、腹側部Ａ及び背側部Ｂそれぞれにおける２枚の伸長性シート１２，１３間は、サイドシール部Ａ１，Ａ２，Ｂ１，Ｂ２、ウエスト開口部５の周縁部５０及び一対のレッグ開口部６それぞれの周縁部６０において接合されており、それら以外の部分においては接合されていない。また、股下部Ｃにおける２枚の伸長性シート１２，１３間は、レッグ開口部の周縁部６０，６０を除く部分の全域において接合されていない。【００３０】
図５に示すおむつにおける吸収性本体１０は、その長手方向の略全域において、幅方向の略全域が、接着剤１５を介して外包材１１に接合されている。他方、図６に示すおむつにおける吸収性本体（吸収性本体の輪郭を２点鎖線１０’を示す）は、その長手方向の両端部においては、幅方向の略全域が、接着剤１６を介して外包材１１に接合されており、長手方向の両端部を除く部分においては、幅方向中央部のみが外包材１１に、接着剤１５を介して接合されている。
【００３１】
図７に示すおむつにおいては、腹側部Ａ及び背側部Ｂのそれぞれにおける２枚の伸長性シート１２，１３間は、サイドシール部Ａ１，Ａ２，Ｂ１，Ｂ２、ウエスト開口部５の周縁部５０、一対のレッグ開口部６それぞれの周縁部６０に加えて、腹側部Ａ及び背側部Ｂそれぞれのおむつ幅方向中央部において接合されており、それら以外の部分においては接合されていない。他方、股下部Ｃにおける２枚の伸長性シート１２，１３間は、一対のレッグ開口部６それぞれの周縁部６０において接合されており、それら以外の部分においては接合されていない。
【００３２】
図８に示すおむつにおいては、腹側部Ａ及び背側部Ｂのそれぞれにおける２枚の伸長性シート１２，１３間は、サイドシール部Ａ１，Ａ２，Ｂ１，Ｂ２、ウエスト開口部５の周縁部５０、一対のレッグ開口部６それぞれの周縁部６０において接合されており、それら以外の部分においては接合されていない。他方、股下部Ｃにおける２枚の伸長性シート１２，１３間は、一対のレッグ開口部６それぞれの周縁部６０に加えて、おむつ幅方向中央部において接合されており、それら以外の部分においては接合されていない。
【００３３】
図５〜図８に示すおむつにおいても、外包材１１を構成する２枚の伸長性シート１２，１３間が広い範囲において互いに接合されていないため、おむつ外面が柔らかで肌触りが良好であり、フィット性及び通気性に優れている。
【００３４】
図９及び図１０に示すおむつにおける吸収性本体１０は、その長手方向両端部を除き、幅方向中央部のみが外包材１１と接合されている。
図９に示すおむつにおいては、吸収性本体１０における、その長手方向両端部を除く部分は、吸収性本体１０の長手方向全長を３等分して腹側領域、中央領域、背側領域に区分した場合の、腹側領域及び背側領域それぞれにおける幅方向中央部が接着剤１５を介して外包材１１に接合されており、中央領域においては、幅方向の全域に亘って外包材１１に接合されていない。
図１０に示すおむつにおいては、図９に示すおむつにおける吸収性本体１０の外包材１１に対する接合箇所に加えて、中央領域における幅方向中央部も接着剤１５を介して外包材１１に接合されている。図１０に示す例においては、腹側領域、中央領域及び背側領域それぞれにおける接合部同士間が分断されている。
【００３５】
吸収性本体の接合態様に関して「その長手方向両端部を除き」という場合、吸収性本体の長手方向両端部は、図６に示す実施形態におけるように、吸収性本体の幅方向の略全域（例えば、９０％以上）が外包材１１と接合されていても良いし、図３に示すように、吸収性本体の幅方向中央部のみが外包材１１と接合されていても良い。例えば、図９又は図１０に示すおむつにおける吸収性本体１０の長手方向両端部を、図６に示すように、吸収性本体の幅方向の略全域（例えば、９０％以上）において外包材１１に接合することもできる。
【００３６】
図１１に示すおむつにおける吸収性本体１０は、その長手方向両端部のみが接着剤１６を介して外包材１１に接合されている。図１１に示す例では、吸収性本体１０の外包材１１に接合されている部分は、吸収性本体１０の長手方向の両端部それぞれからの距離が、吸収性本体１０の全長１０％の範囲内のみである。
【００３７】
以上、本発明をその好ましい実施形態に基づき説明したが、本発明は前記実施形態に制限されるものではない。
例えば、上述した任意の実施形態における２枚の伸長性シート１２，１３間の接合態様を、上述した他の任意の実施形態における収性本体１０と外包材１１との間の接合態様と組み合わせることができる。例えば、２枚の伸長性シート１２，１３間の接合態様を、図１に示すおむつと同様とし、吸収性本体１０と外包材１１との間の接合態様を図５に示すおむつと同様としても良い。
また、外包材１１を構成する２枚の伸長性シート１２，１３は、少なくとも何れか一方が伸縮性を有していれば良い。例えば、伸縮性を有する伸長性シートと伸縮性を有さない伸長性シートとで外包材１１を構成すれば、フィット性が良い使い捨ておむつの形態として用いることができる。おむつの外観に皺等を抑えてすっきりさせる観点からは、おむつの外側を構成する伸長性シート１２が伸縮性を有する伸長性シートの方が好ましい。
【００３８】
また、上述した使い捨ておむつ１においては腹側部Ａの両側縁Ａ１，Ａ２と背側部Ｂの両側縁Ｂ１，Ｂ２とを互いに接合してサイドシール部を形成したが、これに代えて、ホック、ボタン、面ファスナーなどの各種係合部材で予め係合させて、パンツ型の形状となしてもよい。また腹側部Ａの両側縁Ａ１，Ａ２と背側部Ｂの両側縁Ｂ１，Ｂ２との接合又は係合位置は、身体の真横の位置に限られず、身体のやや前寄り又は後寄りの位置であってもよい。
また、上述した使い捨ておむつ１の外包材１１（外側の伸長性１２）の非肌面側においては、ホットメルト粘着剤等の接着剤１４と重なる位置に廃棄用テープを固定することにより、使い捨ておむつ１の伸縮性を維持しながらコンパクトに廃棄可能な使い捨ておむつ１とすることもできる。
【図面の簡単な説明】
【００３９】
【図１】本発明のパンツ型使い捨ておむつの一実施形態を示す斜視図である。
【図２】図１に示すおむつの展開状態を示す平面図である。
【図３】図１に示すおむつの分解斜視図である。
【図４】図２のII− II線断面図である。
【図５】本発明のおむつの別の実施形態を示す図（図３相当図）である。
【図６】本発明のおむつの更に別の実施形態における外包材部分のみを示す分解斜視図である。
【図７】本発明のおむつの更に別の実施形態における外包材部分のみを示す分解斜視図である。
【図８】本発明のおむつの更に別の実施形態における外包材部分のみを示す分解斜視図である。
【図９】本発明のおむつの更に別の実施形態における吸収性本体と外包材との接合態様を示す斜視図である。
【図１０】本発明のおむつの更に別の実施形態における吸収性本体と外包材との接合態様を示す斜視図である。
【図１１】本発明のおむつの更に別の実施形態における吸収性本体と外包材との接合態様を示す斜視図である。
【符号の説明】
【００４０】
１  パンツ型使い捨ておむつ
２  表面シート
３  裏面シート
４  吸収性コア
５  ウエスト開口部
６  レッグ開口部
１０  吸収性本体
１１  外包材
１２，１３  伸縮性を有する伸長性シート
【図１】
0004535980.tif 000002
【図２】
0004535980.tif 000003
【図３】
0004535980.tif 000004
【図４】
0004535980.tif 000005
【図５】
0004535980.tif 000006
【図６】
0004535980.tif 000007
【図７】
0004535980.tif 000008
【図８】
0004535980.tif 000009
【図９】
0004535980.tif 000010
【図１０】
0004535980.tif 000011
【図１１】
0004535980.tif 000012